(57)【要約】  折り畳み式太陽光発電アセンブリの実装構造およびその実装方法を提供する。折り畳み式アセンブリは、パネル（１０１）と、パネル（１０１）の背面に設けられるとともに、パネル（１０１）の両側にそれぞれ近づく第１の支持ブロック（１０２−１）および第２の支持ブロック（１０２−２）と、第１のヒンジ（１０３−１）を介して第１の支持ブロック（１０２−１）に接続される第１の支持体（１０４−１）と、第２のヒンジ（１０３−２）を介して第２の支持ブロック（１０２−２）に接続される第２の支持体（１０４−２）と、を備え、第１の支持体（１０４−１）および第２の支持体（１０４−２）は、それぞれ第１のヒンジ（１０３−１）および第２のヒンジ（１０３−２）のまわりに折り畳み回転することができる。また、太陽光発電アセンブリの実装構造は、複数の太陽光発電アセンブリ（１）を備える。
2015521457.tif 000002
【特許請求の範囲】
【請求項１】
太陽光発電アセンブリの第１側に接続されるとともに、前方ブラケットセットに接続される第１の背面固定ブロック接続部材（３）および第１の背面フック接続部材（９ａ）と、
前記太陽光発電アセンブリの第２側に接続されるとともに、後方ブラケットセットに接続される第２の背面固定ブロック接続部材（３）および第２の背面フック接続部材（９ａ）と、が接続される複数の太陽光発電アセンブリ（１）を備え、
前記前方ブラケットセットは、前記第１の背面固定ブロック接続部材（３）および第１の背面フック接続部材（９ａ）のまわりに回転自在となっており、
前記後方ブラケットセットは、前記第２の背面固定ブロック接続部材（３）および第２の背面フック接続部材（９ａ）のまわりに回転自在となっていることを特徴とする太陽光発電アセンブリの実装構造。
【請求項２】
前記複数の太陽光発電アセンブリ（１）は、１列に配列され、かつそれぞれが底部接続部材（１２）によって接続されることによって、太陽光発電アセンブリの全体アレイシステムが構成されることを特徴とする請求項１に記載の太陽光発電アセンブリの実装構造。
【請求項３】
１列目の太陽光発電アセンブリの前方ブラケットセットおよび後方ブラケットセットは、共に１列目の底部接続部材に接続され、
最後列の太陽光発電アセンブリの前方ブラケットセットおよび後方ブラケットセットは、共に最後列の底部接続部材に接続され、
１列目の太陽光発電アセンブリと最後列の太陽光発電アセンブリとの間に位置する太陽光発電アセンブリのそれぞれは、その前方ブラケットセットが１つ前の列における底部接続部材に接続されると共に、後方ブラケットセットが１つ後ろの列における底部接続部材に接続されることを特徴とする請求項２に記載の太陽光発電アセンブリの実装構造。
【請求項４】
前記第１の背面固定ブロック接続部材および第１の背面フック接続部材、第２の背面固定ブロック接続部材および第２の背面フック接続部材は、共に粘着テープ（２）によって前記太陽光発電アセンブリに接続され、
前記粘着テープは、前記第１および第２の背面固定ブロック接続部材ならびに第１および第２の背面フック接続部材の上部の両翼面と太陽光発電アセンブリにおける予定の接続部分とに設けられていることを特徴とする請求項３に記載の太陽光発電アセンブリの実装構造。
【請求項５】
前記第１および第２の背面固定ブロック接続部材ならびに第１および第２の背面フック接続部材は、構造が類似しており、共に型材を使用して押出成形によって形成され、
前記第１および第２の背面固定ブロック接続部材は、固定ブロック（４）によって前記前方ブラケットセットおよび前記後方ブラケットセットにそれぞれ接続され、
前記第１および第２の背面フック接続部材は、フック部材（９）によって前記前方ブラケットセットおよび前記後方ブラケットセットにそれぞれ接続され、
前記第１および第２の背面固定ブロック接続部材と第１および第２の背面フック接続部材とは、前記固定ブロックまたは前記フック部材と接触する底面に、前記固定ブロックまたはフック部材の実装位置を制限するための浅溝が設けられており、
前記底面には、前記固定ブロックまたはフック部材における皿穴と対応するネジ穴がさらに設けられていることを特徴とする請求項４に記載の太陽光発電アセンブリの実装構造。
【請求項６】
前記固定ブロックは、Ｌ字状となっており、かつ接続強度を確保するために一定の厚みを有しており、
前記固定ブロックの底面には、前記第１および第２の背面固定ブロック接続部材と接続するために、皿ボルトを挿通させるための皿穴が設けられており、
前記固定ブロックは、皿穴が形成される側とは反対側に面取り部が設けられていることを特徴とする請求項５に記載の太陽光発電アセンブリの実装構造。
【請求項７】
前記フック部材は、底面と円弧状フックとからなり、
前記フック部材の底面には、前記第１および第２の背面フック接続部材と接続するために、皿ボルトを挿通させるための皿穴が設けられており、
前記円弧状フックには、前記前方ブラケットセットおよび前記後方ブラケットセットの上部におけるＲ字状部分とマッチングする凹状の円形面が設けられ、
太陽光発電アセンブリに正の風圧が与えられて下方へ押圧される場合、前記凹状の円形面が前記上部におけるＲ字状部分に合わせられ、アセンブリの荷重を下方の部材に徐々に伝達させる一方、前記太陽光発電アセンブリに負の風圧が与えられて前記太陽光発電アセンブリの接続構造から吹き離される場合、前記円弧状フックが前記前方ブラケットセットおよび前記後方ブラケットセットの上部のＲ字状部分に係止され、太陽光発電アセンブリの接続構造とともに負の風圧に対抗し、
前記円弧状フックは、前記前方ブラケットセットおよび前記後方ブラケットセットが回転する時に回転ピンとして機能することを特徴とする請求項６に記載の太陽光発電アセンブリの実装構造。
【請求項８】
前記前方ブラケットセットは、前方ブラケット（５）と前方水平接続ビーム（６）とからなり、その上部にＲ字状部分が形成されるとともに、皿ボルトによって前記固定ブロックに接続され、または、Ｒ字状部分によって前記フック部材に合わせられ、
前記前方ブラケットセットの下部は、押圧プレートによって底部接続部材（１２）に固定され、かつ前記底部接続部材に対して垂直となっており、そのうち、前記前方ブラケットセットの側部は、前記背面固定ブロック接続部材と衝突しないように、傾斜面構造を採用しており、
前記前方ブラケットの側面が前記前方水平接続ビームに密着し、かつ前記前方ブラケットと前記前方水平接続ビームとは、互いに接続される側面に凹溝がそれぞれ設けられ、
前記凹溝は、相互にマッチングするとともにネジ穴がそれぞれ設けられ、接続ボルトを前記ネジ穴に挿通させることによって前記前方ブラケットと前記前方水平接続ビームとを組み合わせ、
前記前方ブラケットセットの下部には、固定用押圧プレートと合わせるように実装溝が設けられ、かつ前記前方ブラケットの上部には、位置制限切欠きが形成され、前記前方ブラケットセットが実装位置に回転されたときに、前記位置制限切欠きの底辺が前記固定ブロックの下辺に接触して位置制限の機能を発揮することを特徴とする請求項７に記載の太陽光発電アセンブリの実装構造。
【請求項９】
前記前方水平接続ビームの上部は、前記フック部材と入れ子構造で合わせて、前方ブラケットセットが滑らかに回転することができるように円弧面に形成され、
接続ボルトは、前記前方水平接続ビームの側面における凹溝に収納することができ、前記前方水平接続ビームの側面から突出しないようになり、
前記前方ブラケットの下部には、前記前方水平接続ビームに近い側に底部より高い隅切込面が形成され、前記前方水平接続ビームは、その下部の一方端が前記隅切込面に係止することによって、前記前方ブラケットとより良く一体化され、
前記前方水平接続ビームの下部の他方端は、前記前方ブラケットの下部に密着し、かつ１つの切欠きが形成されるとともに、ボルト穴が打ち抜かれていることを特徴とする請求項８に記載の太陽光発電アセンブリの実装構造。
【請求項１０】
前記後方ブラケットセットは、後方ブラケット（７）と後方風除け板（８）とからなり、その上部にＲ字状部分が形成され、前記後方ブラケットセットは、その上部が皿ボルトによって固定ブロック（４）に接続されるとともに、下部が押圧プレートによって底部接続部材（１２）に固定され、
前記後方ブラケットは、同様に回転可能としており、その先端部が円柱形に形成されるとともにＲ字状に成形され、かつ、ネジ加工のために円孔が形成されており、前記後方ブラケットの側部は、前記背面固定ブロック接続部材（３）と衝突しないように、傾斜面構造を採用しており、
前記後方ブラケットの側面が前記後方風除け板に密着し、かつ互いに接続される側面に凹溝がそれぞれ設けられ、
前記凹溝は、互いにマッチングするとともにネジ穴が形成され、接続ボルトを前記ネジ穴に挿通させることによって前記後方ブラケットと前記後方風除け板とを組み合わせ、
前記後方ブラケットセットの下部には、実装溝が設けられるとともに、前記後方ブラケットの上部には位置制限切欠きが形成され、前記後方ブラケットセットが実装位置に回転されたときに、前記位置制限切欠きの底辺が前記固定ブロックの下辺に接触して位置制限の機能を発揮することを特徴とする請求項９に記載の太陽光発電アセンブリの実装構造。
【請求項１１】
前記後方風除け板の１つの機能としては、前記太陽光発電アセンブリの背面に風荷重が与えられないように、後部から風除けを行うことであり、
前記後方風除け板の上部は、前記フック部材と入れ子構造で合わせるように円弧面に形成され、前記後方ブラケットセットが滑らかに回転することができるようになり、
前記接続ボルトは、前記後方風除け板の側面における前記凹溝に収納することができ、前記後方風除け板の側面から突出しないようになり、
前記後方ブラケットの下部には、前記後方風除け板に近い側に底部より高い隅切込面が形成され、前記後方風除け板の下部は、係合構造を採用しており、前記後方ブラケットの前記隅切込面に係止することによって、前記後方ブラケットとより良く一体化され、
前記後方風除け板には、太陽光発電アセンブリ全体の実装構造が優れた通風性を有するように逆方向の開口が形成されることを特徴とする請求項１０に記載の太陽光発電アセンブリの実装構造。
【請求項１２】
前記固定ブロックの皿ボルトは、前記前方ブラケットセットと前記後方ブラケットセットとが滑らかに回転可能となるように緩めることができ、実装位置に回転された後、前記皿ボルトを再度締め付けて実装待ちの状態となることを特徴とする請求項１１に記載の太陽光発電アセンブリの実装構造。
【請求項１３】
前記底部接続部材（１２）の上部の左右両側に、押圧プレート用ボルト溝（１２−１）がそれぞれ設けられ、かつ、前記上部の表面における前記前方ブラケットセットと前記後方ブラケットセットとの接続部位に逆リップルが形成され、
前記底部接続部材の上部の表面の中間には、アセンブリの間に一定の隙間が存在するように突出部分が形成されることを特徴とする請求項１１に記載の太陽光発電アセンブリの実装構造。
【請求項１４】
前記底部接続部材の上部の表面の中間における前記突出部分の幅度が２８ｍｍであることを特徴とする請求項１３に記載の太陽光発電アセンブリの実装構造。
【請求項１５】
請求項１〜１４のいずれかに記載の太陽光発電アセンブリの実装構造を実装するための方法であって、
底部接続部材（１２）を敷設するステップと、
アセンブリ（１）の前方ブラケットセットおよび後方ブラケットセットを展開させ、実装位置に回転させた後再度締め付けさせるステップと、
実装位置に回転された太陽光発電アセンブリを前記底部接続部材の上に載置させるステップと、
全ての部材の検査が完了した後、前記前方ブラケットセットと前記後方ブラケットセットとを固定するために、固定用押圧ブロック（１３）を覆うステップと、
押圧プレート用ボルト（１４）を前記固定用押圧ブロック（１３）に挿入させて締め付けることによって、前記太陽光発電アセンブリを前記底部接続部材に固定させるステップと、を含むことを特徴とする太陽光発電アセンブリの実装方法。
【請求項１６】
前記固定用押圧ブロックを覆うことは、前記固定用押圧ブロックの一部を前記前方ブラケットセットおよび前記後方ブラケットセットの下部に設けられる実装溝に係合させることを含むことを特徴とする請求項１５に記載の方法。
【請求項１７】
実装を迅速かつ便利にするように、実装前に木製フィラーストリップを準備し、かつ前記押圧プレート用ボルトを前記底部接続部材の前記押圧プレート用ボルト溝に事前に配置し、
前記押圧プレート用ボルトと前記固定用押圧ブロックとを締め付ける前に、全てのケーブルを接続し、かつ、接続完了後に残ったケーブルを底部接続部材の内側に収納させることを特徴とする請求項１５に記載の方法。
【請求項１８】
正面と背面とを有するパネル（１０１）と、
前記パネルの背面に設けられるとともに、前記パネルの両側にそれぞれ近づく第１の支持ブロック（１０２−１）および第２の支持ブロック（１０２−２）と、
第１のヒンジ（１０３−１）を介して前記第１の支持ブロックに接続される第１の支持体（１０４−１）と、第２のヒンジ（１０３−２）を介して前記第２の支持ブロックに接続される第２の支持体（１０４−２）と、を備え、
前記第１の支持体および前記第２の支持体は、それぞれ前記第１のヒンジおよび前記第２のヒンジのまわりに折り畳み回転することができることを特徴とする折り畳み式アセンブリ。
【請求項１９】
前記パネルは、太陽光発電アセンブリであり、かつ前記パネルの正面が受光面であることを特徴とする請求項１８に記載の折り畳み式アセンブリ。
【請求項２０】
前記第１および第２の支持ブロックは、粘性材料によって前記パネルの背面に粘着固定されることを特徴とする請求項１８に記載の折り畳み式アセンブリ。
【請求項２１】
前記第１の支持体および前記第２の支持体の長さが可変であることを特徴とする請求項１８に記載の折り畳み式アセンブリ。
【請求項２２】
前記第１の支持体および前記第２の支持体は、長さが可変である伸縮式支持体であることを特徴とする請求項２１に記載の折り畳み式アセンブリ。
【請求項２３】
前記第１の支持体および前記第２の支持体のうちの少なくとも１つは、クリップ形部材（１０８）と支持バー（１０９）とをさらに備え、
前記クリップ形部材の一端が前記第１の支持ブロックまたは前記第２の支持ブロックの底部に直接接続され、かつ、前記支持バーの一端が前記クリップ形部材の一方側の１つの結合点に接続され、この結合点と、前記支持バーの他端と、前記クリップ形部材の他端と、によって三角形状の支持構造が構成され、
前記支持バーは、前記結合点の周りに回転可能となり、前記第１の支持体および前記第２の支持体のうちの少なくとも１つの高さを調整することができることを特徴とする請求項２１に記載の折り畳み式アセンブリ。
【請求項２４】
前記パネルは、フレームレスパネルであることを特徴とする請求項１８に記載の折り畳み式アセンブリ。
【請求項２５】
前記パネルの背面に設けられる接続箱（１０５）をさらに備えることを特徴とする請求項１８に記載の折り畳み式アセンブリ。
【発明の詳細な説明】
【技術分野】
【０００１】
本発明は、太陽光発電アセンブリの実装および製造の分野に関し、折り畳み式アセンブリ、特に太陽光発電装置に適用できる折り畳み式アセンブリ、ならびに建物の平屋根に用いられる太陽光発電システムアセンブリおよびその実装構造に係るものである。
【背景技術】
【０００２】
太陽光発電アセンブリは、太陽光発電システムのコア部分であり、太陽光発電システムにおける価値が最も高い部分でもある。その機能としては、太陽光エネルギーを電気エネルギーに変換して、蓄電池に蓄電するか、または負荷を動作させることである。太陽光発電アセンブリの品質およびコストは、システム全体の品質およびコストに直接繋がっている。
【０００３】
従来の太陽光発電アセンブリは、主に太陽電池と、太陽電池の表面に覆われる強化ガラスと、太陽電池を取り囲むアルミニウム合金製フレームと、によって構成される。特に、アルミニウム合金製フレームを設ける目的としては、主に実装時に太陽光発電アセンブリを支持体によって容易に支持するためである。例えば、特許文献１には、太陽光発電アセンブリのフレームおよび４つの側に上記のような実装フレームが設けられる太陽光発電アセンブリが公開されている。
【０００４】
現在、結晶シリコン太陽光発電アセンブリの実装技術は既に成熟しており、一般的には、大量の太陽光発電アセンブリを、例えば以上のような実装フレームなどのような実装構造によって部屋または地面の日当たり面に実装させる。
【０００５】
従来、平屋根に適用できる太陽光発電アセンブリの実装システムについては、多くの太陽電池のメーカーおよびシステムの実装業者は、各々の構造実装システムを所有しており、例えば、京セラ（ＫＹＯＣＥＲＡ）の太陽実装構造、Ｐａｎｅｌｃｌａｗの太陽光エネルギー実装ソリューション、Ｓｕｎｌｉｎｋの実装モジュール、Ｓｃｈｌｅｔｔｅｒの実装システムなどが挙げられる。これらの実装システムのうち、一部のシステムは、構造が簡単で、実装も容易であるが、システムの機械強度が低く、部品の加工が複雑であり、また一部のシステムは、部品の加工が簡単で、機械強度が高いが、実装が煩雑で、大量の人力およびコストが必要となっている。
【０００６】
また、従来の太陽光発電アセンブリの支持構造は、殆ど実装フレーム（例えば、アルミニウム合金製フレーム）に支持体を取り付けるという方式、または太陽光発電アセンブリの背面に調整不可能な支持構造を取り付けるという方式を採用している。
【０００７】
例えば、特許文献２に公開された太陽光発電アセンブリでは、この特許出願の図１０および図１１に示すように、その支持構造は、１つのガイドレールの一端に、パネルの一端を固定するためのストッパーが設けられるとともに、他端にパネルの他端を支持するための垂直支持体が設けられるようになっている。特に、この太陽光発電アセンブリの支持構造は、分割構造となっている。
【０００８】
そのため、従来の上記支持構造では、実装フレームを必要とし、または、高度が調整不可能な支持構造を採用する必要があるため、搬送および生産には、比較的大きいスペースを占めるようになり、または、支持構造と太陽光発電アセンブリとを分解して搬送し、その後組み立てる必要があるため、実装および搬送に対して余計に不便である。
【０００９】
そのため、構造が簡単で、実装が容易であり、構造全体の機械強度が高いとともに部品の加工が容易であり、そしてコストが低い太陽光発電アセンブリおよびその実装システムが必要となっている。
【先行技術文献】
【特許文献】
【００１０】
【特許文献１】中国登録実用新案第２０１７７３８４３号明細書
【特許文献２】独国特許出願公開第１０２０１００１７７０５号明細書
【発明の概要】
【発明が解決しようとする課題】
【００１１】
本発明は、上記の従来の欠陥に対してなされたものであり、太陽光発電アセンブリに適用できる折り畳み式アセンブリおよびその実装構造を提供することを目的としている。
【課題を解決するための手段】
【００１２】
本発明の１つの側面によれば、正面と背面とを有するパネルと、前記パネルの背面に設けられるとともに、前記パネルの両側にそれぞれ近づく第１の支持ブロックおよび第２の支持ブロックと、第１のヒンジを介して前記第１の支持ブロックに接続される第１の支持体と、第２のヒンジを介して前記第２の支持ブロックに接続される第２の支持体と、を備え、前記第１の支持体および前記第２の支持体は、それぞれ前記第１のヒンジおよび前記第２のヒンジのまわりに折り畳み回転することができる折り畳み式アセンブリを提供する。
【００１３】
上記の折り畳み式アセンブリでは、前記パネルは、太陽光発電アセンブリであり、かつ前記パネルの正面が受光面であることが好ましい。
【００１４】
上記の折り畳み式アセンブリでは、前記第１および第２の支持ブロックは、粘性材料によって前記パネルの背面に粘着固定されることが好ましい。
【００１５】
上記の折り畳み式アセンブリでは、前記第１の支持体および前記第２の支持体の長さが可変であることが好ましい。
【００１６】
上記の折り畳み式アセンブリでは、前記第１の支持体および前記第２の支持体は、長さが可変である伸縮式支持体であることが好ましい。
【００１７】
上記の折り畳み式アセンブリでは、前記第１の支持体および前記第２の支持体のうちの少なくとも１つは、クリップ形部材と支持バーとをさらに備え、前記クリップ形部材の一端が前記第１の支持ブロックまたは前記第２の支持ブロックの底部に直接接続され、かつ、前記支持バーの一端が前記クリップ形部材の一方側の１つの結合点に接続され、この結合点と、前記支持バーの他端と、前記クリップ形部材の他端と、によって三角形状の支持構造が構成され、前記支持バーは、前記結合点の周りに回転可能となり、前記第１の支持体および前記第２の支持体のうちの少なくとも１つの高さを調整することができることが好ましい。
【００１８】
上記の折り畳み式アセンブリでは、前記パネルは、フレームレスパネルであることが好ましい。
【００１９】
上記の折り畳み式アセンブリでは、前記パネルの背面に設けられる接続箱をさらに備えることが好ましい。
【００２０】
本願の別の側面によれば、本願に公開された太陽光発電アセンブリの実装構造の大部分がアルミニウム製部材を採用し、製造工場で前後ブラケットがすでに組み立てられ、実装現場ではブラケットを適合に展開させて、固定ブロックの両側におけるネジを締め付ければ、前後ブラケットはシステムの実装構造として使用することができ、このシステムのキールは、構造が簡単であり、現場で押圧ブロックによって固定すればよい。前後のアセンブリが折り畳み可能となり、かつ実装用のキールが短いため、アセンブリの搬送および実装用の材料の搬送に比較的便利になる。また、全ての部品がアルミニウム型材を使用して押出成形によって形成されるため、加工に便利になり、重量が軽くなる。また、本システムでは、前方ブラケットセットにおける前方水平接続ビームおよび後方ブラケットセットにおける後方風除け板は、構造においてそれぞれ支持機能を発揮し、アセンブリ全体の高い機械強度を確保することができる。
【００２１】
また、本発明の別の側面によれば、太陽光発電アセンブリの第１側に接続されるとともに、前方ブラケットセットに接続される第１の背面固定ブロック接続部材（３）および第１の背面フック接続部材（９ａ）と、前記太陽光発電アセンブリの第２側に接続されるとともに、後方ブラケットセットに接続される第２の背面固定ブロック接続部材（３）および第２の背面フック接続部材（９ａ）と、が接続される複数の太陽光発電アセンブリ（１）を備え、前記前方ブラケットセットは、前記第１の背面固定ブロック接続部材（３）および第１の背面フック接続部材（９ａ）のまわりに回転自在となっており、前記後方ブラケットセットは、前記第２の背面固定ブロック接続部材（３）および第２の背面フック接続部材（９ａ）のまわりに回転自在となっている太陽光発電アセンブリの実装構造を提供する。
【００２２】
また、本発明のさらに別の側面によれば、上記の太陽光発電アセンブリの実装構造を実装するための方法であって、底部接続部材（１２）を敷設するステップと、太陽光発電アセンブリ（１）の前方ブラケットセットおよび後方ブラケットセットを展開させ、実装位置に回転させた後再度締め付けさせるステップと、実装位置に設定された太陽光発電アセンブリを前記底部接続部材の上に載置させるステップと、全ての部材の検査が完了した後、前記前方ブラケットセットと前記後方ブラケットセットとを固定するために、固定用押圧ブロック（１３）を覆うステップと、押圧プレート用ボルト（１４）を前記固定用押圧ブロック（１３）に挿入させて締め付けることによって、前記太陽光発電アセンブリを前記底部接続部材に固定させるステップと、を含む太陽光発電アセンブリの実装方法を提供する。
【発明の効果】
【００２３】
本発明の１つの目的としては、太陽光発電アセンブリおよびその実装システムを提供し、従来の太陽光発電アセンブリの実装システムと比較すると、少なくとも以下のようなメリットを有する。
１．  アルミニウム製フレームを有しない場合、折り畳み式部材によって太陽光発電アセンブリの支持を実現することによって、製造コストを明らかに減少させ、原材料の使用量を減少させるとともに、フレームレスアセンブリの実装を実現することができる。
２．  このアセンブリは、前後のアセンブリが工場で事前に接続されたため、現場での実装工事を減少させ、実装時間を減少させ、実装効率を向上させるとともに実装コストを低減させることができる。また、実装システムの構成要素が少なくなり、アセンブリの搬送に便利になり、搬送費用を減少させることができる。さらに、アセンブリの重量が軽くなるため、屋根に与える荷重を減少させることができ、かつ、アセンブリを構成する部品は、特殊な加工方式を使用せず、製造コストを減少させることができる。
３．  従来の固定型実装構造と比べてみると、本発明では、支持ブロック、ヒンジおよび折り畳み回転可能とした支持体によって構成される支持構造を採用することによって、パネルと支持構造とが一体化され、かつ支持体の折り畳み回転によって収納および実装傾斜度の調整を実現することができ、支持構造を収納するときに、支持体をパネルに平行になるように折り畳み回転させれば、折り畳み式アセンブリ全体の空間を最小にすることができ、包装および搬送により適する。
【００２４】
本発明の上記の一般的な説明および以下の詳述は、共に例示的および説明的な内容であり、かつ請求の範囲に記載の本発明をさらに解釈するためであるように理解すべきである。
【００２５】
図面は、本発明をより良く理解できるように提供したものであり、本願の一部として本明細書に含まれ、また、図面には、本発明の実施例を示しており、本明細書とともに本発明の原理を解釈する機能を発揮する。図面と、以下に説明する特定の非限定的な実施例と、を結合することによって、本発明のほかの特徴およびメリットが明らかになる。
【図面の簡単な説明】
【００２６】
【図１】本願の１つの実施例における折り畳み式アセンブリの１つの好適な実施例の展開状態の構造を示す図である。
【図２】本願の１つの実施例における折り畳み式アセンブリの１つの好適な実施例の折り畳み状態を示す構造図である。
【図３】本願の１つの実施例における折り畳み式アセンブリの１つの実装例を示すものである。
【図４】本願の１つの実施例における折り畳み式アセンブリ全体の実装状態を示すものである。
【図５ａ】本願の１つの実施例における支持ブロックの好適な形状を示すものである。
【図５ｂ】本願の１つの実施例における支持ブロックの好適な形状を示すものである。
【図６】本願の１つの実施例における押圧ブロックの１種の構造を示すものである。
【図７】本願の１つの実施例における支持体の別の好適な構造を示すものである。
【図８】本願のもう１つの実施例におけるフレームレスアセンブリシステムを示す背面図である。
【図９】本願のもう１つの実施例における前後ブラケットを図８に示す背面図における切断線１−１に沿って切断した断面図である。
【図１０】本願のもう１つの実施例におけるフック部材を図８に示す背面図における切断線２−２に沿って切断した断面図である。
【図１１】本願のもう１つの実施例における背面接続部材とアセンブリとの接着を示す図である。
【図１２】本願のもう１つの実施例における背面接続部材と固定ブロックとの接続を示す図である。
【図１３】本願のもう１つの実施例における背面接続部材とフック部材との接続を示す図である。
【図１４】本願のもう１つの実施例における前方ブラケットセットを示す断面図である。
【図１５】本願のもう１つの実施例における前方ブラケットおよび後方ブラケットの位置制限切欠きを示す図である。
【図１６】本願のもう１つの実施例における前方水平接続ビームを示す断面図である。
【図１７】本願のもう１つの実施例における後方ブラケットセットを示す断面図である。
【図１８】本願のもう１つの実施例における後方風除け板を示す断面図である。
【図１９】本願のもう１つの実施例における実装現場での前方ブラケットおよび後方ブラケットの位置制限を示す図である。
【図２０】本願のもう１つの実施例における実装現場で前方ブラケットと後方ブラケットとを展開させた後、フック部材と後方風除け板および前方水平接続ビームとの結合状況を示す図である。
【図２１】本願のもう１つの実施例における底部接続部材（キール）を示す断面図である。
【図２２】本願のもう１つの実施例における押圧プレートの固定構造を示す図である。
【図２３】本願のもう１つの実施例におけるアセンブリと底部接続部材との接続を示す図である。
【図２４】本願のもう１つの実施例におけるアレイシステム全体の縦断面を示す図である。
【図２５】本願のもう１つの実施例におけるシステムの現場実装を示すフローチャートである。
【発明を実施するための形態】
【００２７】
以下、本発明の実施例について、図面を参照しながら詳しく説明する。また、本発明の好適な実施例は、図面に例示される。如何なる場合でも、全ての図面において、同じであるかまたは類似する部分に対して同じ符号を付与して示す。また、本発明に使用される技術用語は、公知の技術用語から選択されたものであるが、本発明の明細書に記載される技術用語の一部は、出願人が自己の判定によって選択されたものであることがあり、その詳細な意味については本明細書の関係部分に説明する。また、実際使用されている技術用語だけではなく、それぞれの技術用語に含まれる意味に基づいて本発明を理解しなければならない。
【００２８】
以下、本願の１つの側面について、図１−図７を参照しながら説明する。また、当以下の図１−図７に基づく説明は、単一の実施例に限定されるものではなく、実際の現場での状況またはデザインの需要に応じて任意に組み合わせ、修正、改良、調整を行うことによって、その他の代替的な実施形態を得ることが可能である。
【００２９】
図１は、本発明にかかる折り畳み式アセンブリの１つの好適な実施例の展開状態の構造を示す図である。本発明の折り畳み式アセンブリ１００は、主としてパネル１０１、支持ブロック１０２、ヒンジ１０３および支持体１０４を備える。
【００３０】
通常、パネル１０１は、正面および背面を有する太陽光発電アセンブリである。そのうち、このパネル１０１の正面は、受光面である。本発明では、従来と全く異なる支持構造を採用しているため、本発明におけるパネル１０１は、フレームレスパネルであってもよく、製造コストを節約することが可能となる。
【００３１】
図１に示すように、２つの支持ブロック１０２−１および１０２−２は、共にパネル１０１の背面に設けられ、かつ、このパネル１０１の両側にそれぞれ近づいており、この両側としては、一般的にパネル１０１の長さ方向における２つの側辺である。また、この第１および第２の支持ブロック１０２−１および１０２−２は、両面粘着テープ、シリカゲル、粘着テープ＋シリカゲルなどの粘性材料によってパネル１０１の背面に粘着固定されることが好ましいが、穴を開けてネジによってパネル１０１の背面に固定されるようにしてもよい。もちろん、本発明は、２つの支持ブロックに限定されるものではない。本発明は、実際の必要に応じて、本発明の構想に基づいて任意の数の支持ブロックを選択し、かつ、これらの支持ブロックをパネルの長さ方向に沿って複数の異なる位置に設けることもでき、これは当業者にとっては明らかなことである。また、加工の需要に応じて、その他の公知の固定方式によって支持ブロックをパネル１０１の背面に固定するようにしてもよい。
【００３２】
図５ａおよび図５ｂは、支持ブロックの２種の好適な形状をそれぞれ示している。この支持ブロック１０２は、図５ａに示すような平板状の支持ブロックを採用しても良く、または、図５ｂに示すようなＶ字形状の支持ブロックを採用しても良い。
【００３３】
１つの実施例によれば、第１の支持体１０４−１は、第１のヒンジ１０３−１を介して第１の支持ブロック１０２−１に接続され、かつ、前記第２の支持体１０４−２は、第２のヒンジ１０３−２を介して第２の支持ブロック１０２−２に接続される。ヒンジ１０３と支持ブロック１０２との接続には、粘着テープを使用してもよく、またはネジによって固定するようにしてもよい。この第１の支持体１０４−１および第２の支持体１０４−２は、アセンブリ全体の支持体として機能することができ、アセンブリがより優れた耐風性を有するように風除け板として機能することもできる。支持体は、比較的大きい負荷応力を受けるため、一定の強度を有する必要がある。図１〜図４に示す実施例を参照して、そのうちの支持体１０４−１および１０４−２は、共に三角形状に形成されている。また、この三角形状の支持体は、コストを低減するために、プラスチックの収縮を考慮して、その中間部分をホロー状に形成することが好ましい。また、その形状としては、型材形状となっており、かつ押出成形によって製造され、これによって効率が高く、コストが低いなどのメリットを有する。
【００３４】
この第１の支持体１０４−１および第２の支持体１０４−２は、それぞれ第１のヒンジ１０３−１および第２のヒンジ１０３−２のまわりに回転することができる。例えば、図１に示す実施例では、折り畳み式アセンブリ１００は、展開状態となっており、すなわち、支持体１０４−１および１０４−２は、パネル１０１に対して、例えばほぼ９０度となるような垂直状態となっている。また、図２に示す実施例では、折り畳み式アセンブリ１００は、折り畳み状態となっており、すなわち、支持体１０４−１および１０４−２は、パネル１０１に対して、例えばほぼ０度となるような水平状態となっている。そのため、折り畳み状態では、スペースおよびコストを節約することができるため、包装および搬送に非常に適する。また、実装時に、折り畳み式アセンブリを展開状態にして、この折り畳み式アセンブリ全体を適当な傾斜角度に調整させることができる。
【００３５】
また、太陽電池パネル１０１の傾斜角度を容易に調整するために、第１の支持体１０４−１および第２の支持体１０４−２は、共に長さが可変であるようになっている。例えば、第１の支持体１０４−１と第２の支持体１０４−２とは、長さが可変である伸縮式支持体を採用することができる。または、この第１の支持体１０４−１と第２の支持体１０４−２とは、高さを調整する効果を達成できるように、各段が共に９０度折り曲げることができる多段構造を採用してもよい。または、本発明の別の実施例では、高度を変化させるために、パネル１０１または実装面（例えば地面または屋根など）に対する第１の支持体１０４−１および第２の支持体１０４−２の傾斜角度を選択および固定することができる構造を採用しても良い。勿論、本分野のほかの公知構造によって類似する傾斜角度の調整機能を実現することもできる。
【００３６】
また、図７には、支持体の別の好適な構造を示している。この支持体１０４は、例えば、クリップ形部材１０８および支持バー１０９によって構成される。クリップ形部材１０８の一端が支持ブロック１０２の底部に直接接続され、かつ、支持バー１０９の一端がこのクリップ形部材１０８の一方側の１つの結合点に接続され、この結合点と、支持バー１０９の他端と、クリップ形部材１０８の他端と、によって、１つの三角形状の支持構造が構成され、前後位置でパネルの支持強度を有効に得ることができる。また、この支持バー１０９は、支持体１０４全体の高度を調整するように、この結合点のまわりに回転することができる。
【００３７】
例えば、図３は、本発明にかかる折り畳み式アセンブリの１つの実装例を示している。図４は、本発明にかかる折り畳み式アセンブリ全体の実装を示す図である。図中、第１の支持体１０４−１と第２の支持体１０４−２とは、共に実装面（例えば地面）に対して９０度となる展開状態に折り畳み回転されている。また、ヒンジが回転することができるため、アセンブリの前後を貫通する固定ストリップ１０６が設けられる。例えば、図３に示す実施例では、２本の固定ストリップ１０６は、前記第１の支持体１０４−１および第２の支持体１０４−２にそれぞれ挿通され、これによって折り畳み式アセンブリ全体が固定される。図４に示すように、この固定ストリップ１０６は、前列のアセンブリにおける後側支持体および後列のアセンブリにおける前側支持体に挿通され、かつ、その中間位置において押圧ブロック１０７によって固定される。この固定ストリップ１０６は、ヒンジおよび前後の支持体の回転を大幅に制限することができ、同時に、各々のアセンブリ同士が接続されるため、折り畳み式アセンブリシステム全体はより安定するようになる。
【００３８】
図６には、押圧ブロックの１つの構造例を示している。図６に示すように、この押圧ブロック１０７は、押出成形によって形成された簡易なものであり、かつ四周に翼部が設けられる突出ブロック構造とすることができる。このような凸状の設計によって、前後の固定ストリップ１０６と容易に合わせることができ、かつその左右には、現地の風速によってバラストの重量を調整することができる。
【００３９】
また、図３に示す実施例では、第１の支持体１０４−１は、第２の支持体１０４−２よりも長く設けられ、パネル１０１と実装面（例えば地面）との間に必要な傾斜角度を形成することができる。逆に、実装前、または実装後に折り畳み式アセンブリ全体を収納、包装および搬送する場合、第１の支持体１０４−１および第２の支持体１０４−２は、それぞれパネル１０１に平行となる折り畳み状態に折り畳み回転される（図２を参照）。この折り畳み状態では、折り畳み式アセンブリ１００全体の体積が最小となり、包装および搬送の効率を向上することができる。
【００４０】
一方、図１−図３に示すように、折り畳み式アセンブリ１００は、パネル１０１の背面に設けられる接続箱１０５をさらに備える。
【００４１】
以下、本願の別の側面について、図８−図２５を参照しながら説明する。また、以下の図８−図２５に基づく説明は、単一の実施例に限定されるものではなく、実際の現場での状況またはデザインの需要に応じて任意に組み合わせ、修正、改良、調整を行うことによって、その他の代替的な実施形態を得ることができ、これは当業者にとっては明らかなことである。そして、図８−図２５に基づいて説明する複数の技術方式は、以上で図１−図７に基づいて説明した複数の技術方式と組み合わせて使用することができ、これも本願およびその請求の範囲に含まれる精神および実質に属するものである。
【００４２】
図８は、本願の１つの側面におけるフレームレス太陽光発電アセンブリシステムを示す背面図である。図９は、本願の１つの側面における前後ホルダを図８に示す背面図における切断線１−１に沿って切断した断面図である。図１０は、本願の１つの側面におけるフック部材を図８に示す背面図における切断線２−２に沿って切断した断面図である。
【００４３】
図８−図１０に示すように、本願の１つの側面にかかるフレームレス太陽光発電アセンブリシステムは、フレームレス太陽光発電アセンブリ１と、粘着テープ２と、背面固定ブロック接続部材３と、固定ブロック４と、前方ブラケット５と、前方水平接続ビーム６と、後方ブラケット７と、後方風除け板８と、フック部材９と、背面フック接続部材９ａと、スペーサー１０と、ケーブルクランプ１１と、底部接続部材（また、「キール」ともいう）１２（図示せず）と、固定押圧ブロック１３（図示せず）と、を備える。
【００４４】
１つの実施例によれば、太陽光発電アセンブリ１は、フレームレスアセンブリを採用している。図８に示すように、アセンブリ１の背面における接続箱（図中の左側に示される）におけるケーブルは、実装のために、そのうちの１本が長い一方、他の１本が短くなっている。ケーブルクリップ１１は、アセンブリ１の裏側に固定されている。ケーブルクリップ１１は、接着などによってアセンブリ１の背面に貼り付けられる。
【００４５】
図８および図９、図１０に示す断面図から明らかなように、アセンブリ１は、前方ブラケット５（図８におけるアセンブリ１の上方に例示的に示される）および後方ブラケット７（図８におけるアセンブリ１の下方に例示的に示される）に接続されている。アセンブリ１の一方側において、前方ブラケット５に対応する接続位置に背面固定ブロック接続部材３および背面フック接続部材９ａが接続されている。これらの２つの接続部材は、例えば接着などによってアセンブリ１に接続することができ、接着材としては、優れた耐候性および接着性を有し、すなわち、静荷重および動荷重が全体の安定性を確保できる要求を満足する必要があり、例えば粘着テープ２またはシリカゲルを使用することができる。同様に、アセンブリ１の他方側（すなわち、前方ブラケット５との接続側とは反対側）においても、後方ブラケット７に対応する接続位置に背面固定ブロック接続部材３および背面フック接続部材９ａが接続されており、かつ、これらの２つの接続部材も、接着（すなわち、粘着テープ２）などによってアセンブリ１に接続されている。そして、アセンブリ１の背面であって後方ブラケット７と接触する位置には、搬送および実装時に後方ブラケット７がアセンブリ１の背面に衝突しないように、スペーサー１０がさらに設けられる。
【００４６】
図１１は、本願の１つの側面における背面固定ブロック接続部材３とアセンブリ１との接着を示す図である。図１２は、本願の１つの側面における背面固定ブロック接続部材３をアセンブリ１に接着した後、固定ブロック４を接続した場合の接続構造を示す図である。図１２は、本願の１つの側面における背面フック接続部材９ａをアセンブリ１に接着した後、フック部材９を接続した場合の接続構造を示す図である。
【００４７】
本願の１つの側面によれば、背面固定ブロック接続部材３および背面フック接続部材９ａは、類似する構成を有し、かつ共に型材を使用して押出成形によって形成され、それらの断面は、図１１および図１３に示されている。背面固定ブロック接続部材３および背面フック接続部材９ａの上部の両翼面、およびアセンブリ１における予定の接続部分には、共に粘着テープ２が設けられ、かつ、接続部材３および９ａの、固定ブロック４およびフック部材９と接触する底面に、固定ブロックまたはフック部材の実装位置を制限するための浅溝が設けられる。同時に、接続部材３および９ａのこの底面には、固定ブロックおよびフック部材における接続用皿穴と対応するねじ穴が設けられる。
【００４８】
実装過程において、まずは、接続部材３および９ａを（例えば、接着によって）アセンブリ１に接続させ、その後、固定ブロック４を皿ボルトによって背面固定ブロック接続部材３に接続し、フック部材９を皿ボルトによって背面フック接続部材９ａに接続する。
【００４９】
本願の１つの実施例では、固定ブロック４は、Ｌ字形状となっている。固定ブロック４は、接続強度を確保するために、一定の厚みを有する必要がある。固定ブロック４の底面には、背面固定ブロック接続部材３および前後のブラケットに接続固定するために、皿ボルトを挿通させるための皿穴が設けられる。図１２に示すように、固定ブロック４の皿穴が形成される側とは反対側に、前後ブラケットを順調に回転させるように、面取り部が形成されている。
【００５０】
本願の１つの実施例では、フック部材９の断面は、図１３に示されている。フック部材９は、主として底面および円弧状フックによって構成されている。このような形状に形成する目的としては、主に、背面接続部材、前方水平接続ビーム６の上部におけるＲ字状部分（図１０に示される）および後方風除け板８の上部におけるＲ字状部分（図９、図１０に示される）とマッチングするためである。フック部材９の底面には、背面フック接続部材９ａおよび前後ブラケットに接続固定するために、皿ボルトを挿通させるための皿穴が設けられている。フック部材９の円弧状フックは、前方水平接続ビーム６および後方風除け板８の上部におけるＲ字状部分とマッチングする凹状の円弧面を有しており、アセンブリ１が正の風圧（すなわち、アセンブリ１の正面に吹き付ける風圧であり、アセンブリ１を支持システムに圧入させる）を受けると、アセンブリ１が下方へ押圧されることによって、背面フック接続部材９ａおよびフック部材９が下方へ押圧され、前方水平接続ビーム６の上部におけるＲ字状部分と後方風除け板８の上部におけるＲ字状部分と係合されることによって、アセンブリの荷重を下方の部材に徐々に伝達させる。同時に、フック部材９の下部における円弧状フックは、前後ブラケットが回転するときに回転ピンとして機能し、そして、アセンブリ１が負の風圧（すなわち、アセンブリ１の背面に吹き付ける風圧であり、アセンブリ１を支持システムから分離させる）を受けると、下部における円弧状フックは、前方水平接続ビーム６の上部におけるＲ字状部分と後方風除け板８の上部におけるＲ字状部分と係合することによって、支持システム全体とともに負の風圧に対抗する。
【００５１】
図１４は、本願の１つの側面における前方ブラケットの組合せを示す断面図である。図中に示すように、前方ブラケットセットは、前方ブラケット５および前方水平接続ビーム６からなり、その上部がＲ字状に形成されている。前方ブラケットセットの上部は、皿ボルトによって固定ブロック４に接続され、下部が押圧プレートによって底部接続部材（キール）１２（図示せず）に固定され、かつ底部接続部材（キール）１２に対して垂直となっている。そのうち、前方ブラケット５の側面が前方水平接続ビーム６に密着し、前方ブラケット５が回転可能としているため、その先端部が円柱状に形成され、かつＲ字形状（断面から見る場合）に成型されるとともに、ねじ加工のために円孔が形成される。また、前方ブラケット５は、アセンブリ１の背面固定ブロック接続部材３と衝突しないように、その側部が傾斜面構造を採用している（図１４の右側を参照）。前方ブラケット５の側部において、前方水平接続ビーム６に接続される部分（図中の左側に図示される）に凹溝が設けられ、この凹溝が前方水平接続ビーム６の側面における凹溝（図１６に図示される）と係合され、かつこの凹溝にねじ穴が設けられ、接続ボルトをこのねじ穴と前方水平接続ビーム６の側面における凹溝に設けられるねじ穴とに貫通させて接続することによって、前方ブラケット５と前方水平接続ビーム６とが組み合わせられる。押圧プレートによる実装方式を採用しているため、前方ブラケットセットの下部には、実装溝が設けられる。
【００５２】
前方ブラケット５については、その先端部に位置制限切欠きが形成される必要がある。図１５は、本願の１つの側面における前方ブラケットにおける位置制限切欠きを示す図である。図中に示すように、前方ブラケットセットが実装位置に回転されると、この切欠きの底辺が固定ブロックの下辺に接触するようになる（位置制限については、図１９の左側を参照する）。前方ブラケットの高さが低いため、この切欠きを大きく形成すると制限機能を発揮しないようになり、この場合、固定ブロックにおけるボルトを緩めることによって、システム内においてアセンブリ全体が回転可能になり、システムのメンテナンスにより便利になる。前方ブラケット５については、対称的に加工することによって形成される。前方ブラケット５の下部の、前方水平接続ビーム６に近い側は、底部よりも高い隅切込面に形成される。
【００５３】
図１６は、本願の１つの側面における前方水平接続ビーム６を示す断面図である。この前方水平接続ビーム６は、アセンブリシステムの下側支持バーとするため、一定の強度および剛性を有する必要がある。前方水平接続ビーム６の上部は、円弧面に形成され、フック部材９と入れ子構造で係合することができ、前方ブラケットセットが順調に回転できるようになる。前方水平接続ビーム６の側面に凹溝が設けられ、この凹溝にねじ穴が形成され、接続ボルトを、このねじ穴に挿通して前方ブラケット５の側面における凹溝に形成されるねじ穴と接続することができ、また、接続ボルトは、この凹溝に収納することができ、前方水平接続ビーム６の側面から突出しないようになる。前方水平接続ビーム６は、その下部の辺が前方ブラケット５の隅切込面に係止されることによって、前方ブラケット５とよりよく一体化される。前方水平接続ビーム６の下部の主な機能としては、接続ビームの剛性を向上させるためのものである。前方水平接続ビーム６の下部の他端部は、前方ブラケット５の下部に密着し、切欠きが形成され、かつボルト穴が打ち抜かれている。
【００５４】
図１７は、本願の１つの側面における後方ブラケットセットを示す断面図である。後方ブラケットセットは、後方ブラケット７および後方風除け板８とからなり、その上部がＲ字状に形成されている。図１４に示す前方ブラケットセットと同様に、後方ブラケットセットの上部は、皿ボルトによって固定ブロック４に接続され、下部が押圧プレートによって底部接続部材（キール）１２に固定されている。そのうち、後方ブラケット７の側面が後方風除け板８に密着し、後方ブラケット７が同様に回転可能としているため、その先端部が円柱状に形成され、かつＲ字状（断面から見る場合）に成型されるとともに、ねじ加工のために円孔が形成される。後方ブラケット７は、アセンブリ１の背面固定ブロック接続部材３と衝突しないように、その側部が傾斜面構造を採用している（図１７の右側を参照）。後方ブラケット７の側部において、後方風除け板に接続される部分（図中の左側に図示的に示される）に凹溝が設けられ、この凹溝が後方風除け板８の側面における凹溝（図１８に図示される）と係合され、かつこの凹溝にねじ穴が設けられ、接続ボルトをこのねじ穴と後方風除け板８の側面における凹溝に設けられるねじ穴とに貫通させて接続することによって、後方ブラケット７と後方風除け板８とが組み合わせられる。押圧プレートによる実装方式を採用しているため、後方ブラケットセットの下部には、実装溝が設けられる。
【００５５】
後方ブラケット７については、その先端部に同様に位置制限切欠きが形成される必要がある。図１５は、本願の１つの側面における後方ブラケットの位置制限切欠きを示す図である。図中に示すように、後方ブラケット７が実装位置に回転されると、この切欠きの底辺が固定ブロックの下辺に接触するようになる（位置制限については、図１９の右側を参照する）。後方ブラケット７については、対称的に加工することによって形成される。後方ブラケット７の下部の、後方風除け板８に近い側は、底部よりも高い隅切込面が形成されている。
【００５６】
図１８は、本願の１つの側面における後方風除け板８を示す断面図である。後方風除け板８は、主として後部から風除けを行い、アセンブリ１の背面に風荷重が与えられないようにすると同時に、アセンブリの上側支持バーとして、その上部が円弧面に形成され、フック部材９と入れ子構造で係合することができ、後方ブラケットセットが順調に回転できるようになる。後方風除け板８の側面に凹溝が設けられ、この凹溝にねじ穴が形成され、接続ボルトを、このねじ穴に挿通して後方ブラケット７の側面における凹溝に形成されるねじ穴と接続することができ、また、接続ボルトは、この凹溝に収納することができ、後方風除け板８の側面から突出しないようになる。後方風除け板８の下部は、係合構造を採用しており、後方ブラケット７の下部の隅切込面に係合され、後方ブラケット７とより良く一体化される。システム全体として優れた通風性を有するために、後方風除け板８には、逆方向の開口が形成されている。
【００５７】
本願の１つの側面によれば、太陽光発電アセンブリシステム全体において、後方ブラケット７が前方ブラケット５よりも高くなるため、後方ブラケット７がアセンブリ１に対して直角を成しており、後方ブラケットの受力を改善することができる。
【００５８】
アセンブリシステムが現場に搬送されると、固定ブロック４における皿ボルトを緩めることによって、前方ブラケットセットおよび後方ブラケットセットは、滑らかに回転可能となり、実装位置に回転された後、図１９に示すように、皿ボルトを再度締め付けて実装待ちの状態となる。図２０は、前後ブラケットが展開された後の、フックと後方風除け板および前方水平接続ビームとの結合状況を示している。なお、図１９、図２０には、共にアセンブリ１全体ではなく、アセンブリ１と前後ブラケットとの接続部分のみを示しており、アセンブリ１の中間部分が図面から省略されている。
【００５９】
図２１は、本願の１つの側面における底部接続部材（キール）を示す断面図である。そのうち、底部接続部材（キール）１２の上部の左右両側には、それぞれ押圧プレート用ボルト溝１２−１が設けられ、かつ、上部の表面のうち前側／後方ブラケットセットとの接続部位に逆リップルが設けられている。底部接続部材（キール）１２の上表面の中間には、アセンブリとの間に一定の隙間が存在するように、突出部分が設けられている。本願の１つの好適な実施例によれば、中間における突出部分の幅度を、２８ｍｍとすることができる。同時に、底部接続部材（キール）の中央キャビティーは、比較的大きくなっている。中間部分のキールの接続長さが短いため、アセンブリ１の前後列におけるケーブルが通過することができる。
【００６０】
図２５は、本願の１つの側面におけるシステムの現場実装を示すフローチャートである。システムを現場で実装するときに、先ずは、ステップ２５０１のように、底部接続部材（キール）１２を敷設する。次に、ステップ２５０３に移行し、図１９−図２０に示すように、アセンブリ１の前方ブラケットセットおよび後方ブラケットセットを展開させ（すなわち、締め付けボルトを緩める）、かつ前側／後方ブラケットセットを実装位置に回転させて再度締め付ける。その後、ステップ２５０５において、実装位置に回転されたアセンブリ１を底部接続部材（キール）１２の上に載置させる。ステップ２５０７において、全ての部材の検査が完了した後、固定用押圧ブロック１３を配置して、前方ブラケットセットと後方ブラケットセットとを固定する。図２２に示すように、固定用押圧ブロック１３の一部が、前方ブラケットセットおよび後方ブラケットセットの下部に設けられる実装溝に係合される。その後、ステップ２５０９において、押圧プレート用ボルト１４を固定用押圧ブロック１３に挿入させ、この押圧プレート用ボルト１４の一部は、底部接続部材（キール）１２の押圧プレート用ボルト溝１２−１に収納され、かつ、このボルトを締め付けることによって、アセンブリシステムを底部接続部材（キール）１２に固定させる。このような実装方式は、簡単であり、現場で実装作業を容易に行うことができる。具体的な実装構造は、図２２、図２３に示される。１つの好適な実施例では、迅速かつ容易に実装できるように、実装前に複数の木製フィラーストリップを準備し、かつ押圧プレート用ボルト１４を底部接続部材（キール）１２の押圧プレート用ボルト溝１２−１に事前に放置する。同時に、前記押圧プレート用ボルトと前記固定用押圧ブロックとを締め付ける前に、全てのケーブルを接続し、かつ、接続完了後に残ったケーブルを底部接続部材（キール）１２の内側に収納させる必要がある。
【００６１】
図２４は、本願の１つの側面における太陽光発電アセンブリのアレイシステム全体の縦断面を示す図である。なお、図２４には、アセンブリ１の全体ではなく、アセンブリ１、前後ブラケットおよび底部接続部材（キール）の間の接続部分のみを示しており、アセンブリ１の中間部分が図面から省略されている。図２４に示すアレイシステム全体では、複数のアセンブリ１が１列に配列されている。図２４には、最前列のアセンブリシステムＡ、最後列のアセンブリシステムＤ、前から２列目のアセンブリシステムＢおよび後ろから２列目のアセンブリシステムＣのみを示している。図面から分かるように、アセンブリシステムＢとアセンブリシステムＣとの間には、実際の需要に応じて複数のアセンブリシステムを実装することができる。図示したように、最前列および最後列の底部接続部材（キール）ａ、ｄは、それぞれ最前列のアセンブリシステムＡおよび最後列のアセンブリシステムＤにおける前後ホルダセットを接続する。前から２列目のアセンブリシステムＢでは、その前方ブラケットセットが最前列の底部接続部材（キール）ａに接続されるとともに、後方ブラケットセットが前から２列目の底部接続部材（キール）ｂに接続される。これによって類推すると、後ろから２列目のアセンブリシステムＣでは、その前方ブラケットセットが後ろから２列目の底部接続部材（キール）ｃ（図示せず）に接続されるとともに、後方ブラケットセットが前から最後列の底部接続部材（キール）ｄに接続される。これから分かるように、４つのアセンブリシステムＡ、Ｂ、Ｃ、Ｄのみを有する場合、３つの底部接続部材（キール）ａ、ｂ、ｄのみを必要とし、後ろから２列目のアセンブリシステムＣの前方ブラケットセットが、前から２列目の底部接続部材（キール）ｂに直接接続されている。４つ以上のｎ個のアセンブリシステムがある場合、中間に位置するキール（すなわち、前から２列目からｎ−１列目までのキール）は、それぞれ隣り合う２つのアセンブリシステムのうち、一方のアセンブリの後方ブラケットセットと他方のアセンブリシステムの前方ブラケットセットとに接続されるようになる。これによって、太陽光発電アセンブリのアレイシステムが構成される。
【００６２】
本願の上記の各々の実施例に提供される太陽光発電アセンブリおよびその実装構造によれば、以下のようなメリットを有する。
１．  パネルと支持構造とが一体構造に構成され、かつ、支持体の折り畳み回転によって収納および実装傾斜度の調整を実現することができる。
２．  この屋根アセンブリは、フレームレスアセンブリであり、アセンブリの背面に背面固定ブロック接続部材が接着され、背面固定ブロック接続部材に前後ブラケットを接続するための固定ブロックが実装され、背面固定ブロック接続部材には、固定ブロックを位置決めするための凹溝が形成されるようにして、製造コストを低減させることができる。
３．  この屋根アセンブリでは、前後ブラケットは、それぞれ固定ブロックによって接続され、かつ、前後ブラケットが回転可能になるため、搬送に便利になり、また、現場で実装する時に、前後ブラケットを開放させて所定の位置に回転させればよい。また、前方ブラケットセットは、前方ブラケットと前方水平接続ビームとからなり、後方ブラケットセットは、後方ブラケットと後方風除け板とからなる。
４．  この屋根アセンブリでは、背面に背面フック接続部材が接着され、この背面フック接続部材に、フックが接続されており、このフックは、負の風圧が与えられるときに、アセンブリと前後ブラケットとを接続させる機能を発揮する。また、このフックは、正の風圧が与えられるときに荷重を伝達する機能を発揮する。
５．  前後ブラケットは、アルミニウム型材で押出成形によって形成されるため、部品の加工が簡単になり、重量が軽くなる。また、工場でアセンブリ全体を組み立てて、現場では、屋根に底部接続部材（キール）を敷設して、押圧プレートによって固定させればよいため、現場での工事が簡単になる。
６．  前方ブラケットセットにおける前方水平接続ビームと後方ブラケットセットにおける後方風除け板とは、構造において支持作用をそれぞれ発揮すると同時に、中間のフックによって荷重を分散させ、アセンブリの支持点を増加することによって、アセンブリの機械強度を向上させることができる。
７．  同一の列における２つのアセンブリの間の隙間が３０ｍｍであり、または、風除け板に逆方向の開口を通風口として形成することによって、アセンブリの通風性を保証することができる。
８．  このアセンブリは、前後のアセンブリが工場で事前に接続されるため、現場での実装工事を減少させ、実装時間を減少させ、効率を向上させるとともに実装コストを低減させることができる。
９．  支持構造を収納するときに、支持体をパネルに平行になるように折り畳み回転させるだけで、折り畳み式アセンブリ全体の空間を最小にし、かつ、実装システムの構成要素を減少させることができ、また、アセンブリの搬送に便利になり、搬送費用を減少させることができる。
１０．  アセンブリの重量が軽くなるため、屋根に与える荷重を減少させることができ、かつ、アセンブリを構成する部品は、特殊な加工方式を使用せず、製造コストを減少させることができる。
【００６３】
本発明の精神および範囲を超えなければ、本発明の以上例示した実施例に対して、各種の修正および変形を行うことが可能であり、これは当業者にとっては明らかなことである。よって、本発明の請求の範囲およびその等価の技術方案の範囲内において本発明に対して行う修正および変形も、本発明の保護範囲に含まれる。
【符号の説明】
【００６４】
１  太陽光発電アセンブリ、２  粘着テープ、３  第１の背面固定ブロック接続部材，第２の背面固定ブロック接続部材、４  固定ブロック、５  前方ブラケット、６  前方水平接続ビーム、７  後方ブラケット、８  後方風除け板、９  フック部材、９ａ  第１の背面フック接続部材，第２の背面フック接続部材、１２  底部接続部材、１２−１  押圧プレート用ボルト溝、１３  固定用押圧ブロック、１４  押圧プレート用ボルト、１０１  パネル、１０２−１  第１の支持ブロック、１０２−２  第２の支持ブロック、１０３−１  第１のヒンジ、１０３−２  第２のヒンジ、１０４−１  第１の支持体、１０４−２  第２の支持体、１０５  接続箱、１０８  クリップ形部材、１０９  支持バー
【図１】
2015521457.tif 000003
【図２】
2015521457.tif 000004
【図３】
2015521457.tif 000005
【図４】
2015521457.tif 000006
【図５ａ】
2015521457.tif 000007
【図５ｂ】
2015521457.tif 000008
【図６】
2015521457.tif 000009
【図７】
2015521457.tif 000010
【図８】
2015521457.tif 000011
【図９】
2015521457.tif 000012
【図１０】
2015521457.tif 000013
【図１１】
2015521457.tif 000014
【図１２】
2015521457.tif 000015
【図１３】
2015521457.tif 000016
【図１４】
2015521457.tif 000017
【図１５】
2015521457.tif 000018
【図１６】
2015521457.tif 000019
【図１７】
2015521457.tif 000020
【図１８】
2015521457.tif 000021
【図１９】
2015521457.tif 000022
【図２０】
2015521457.tif 000023
【図２１】
2015521457.tif 000024
【図２２】
2015521457.tif 000025
【図２３】
2015521457.tif 000026
【図２４】
2015521457.tif 000027
【図２５】
2015521457.tif 000028
【国際調査報告】
2015521457.tif 000029
2015521457.tif 000030
2015521457.tif 000031
2015521457.tif 000032